(57)【要約】【課題】騒音発生源を有する装置から発生する騒音が周囲に放出されることを、コストの上昇を抑えつつ、可能とする。【解決手段】画像読取装置１と載置台２の間に、発泡体などから成る防音部材２１を配置し、その防音部材２１を、画像読取装置１の本体筐体３と載置台２との間に挟んで圧縮変形させ、当該防音部材２１を画像読取装置１の本体筐体３に圧接させる。防音部材２１を互いに材質の異なる部分から構成し、画像読取装置１から発生する異なった周波数の騒音を、その各部分で吸収する。【選択図】　図１
2004012553.tif 000002
【特許請求の範囲】
【請求項１】
騒音発生源を有する装置に圧接して配置される防音部材を具備し、該防音部材は、互いに材質の異なる複数の部分から構成されていることを特徴とする防音装置。
【請求項２】
前記防音部材の互いに材質の異なる部分が積層配置されている請求項１に記載の防音装置。
【請求項３】
騒音発生源を有する装置に圧接して配置される複数の防音部材を具備し、前記装置の異なった部位に、材質の異なった防音部材がそれぞれ接触して配置されることを特徴とする防音装置。
【請求項４】
騒音発生源を有する装置に圧接して配置される防音部材を具備し、該防音部材の少なくとも一部が導電性材料により構成されていることを特徴とする防音装置。
【請求項５】
前記導電性材料が、金属板と金属粉末と金属繊維のうちの少なくとも１つから構成されている請求項４に記載の防音装置。
【請求項６】
騒音発生源を有する装置に圧接して配置される防音部材を具備し、該防音部材は前記装置に着脱自在に取り付けられることを特徴とする防音装置。
【請求項７】
前記防音部材を、前記装置に対してスライドさせて該装置に着脱する請求項６に記載の防音装置。
【請求項８】
前記防音部材が前記装置に対する所定の装着位置に取り付けられたとき、該防音部材が、位置決め手段により前記装置に位置決めされる請求項６又は７に記載の防音装置。
【請求項９】
請求項１乃至８のいずれかに記載の防音装置と、該防音装置が圧接する装置とを具備することを特徴とする防音装置付き機器。
【請求項１０】
前記防音部材は、前記装置の本体筐体と、該装置以外の物の間に挟まれて加圧されることにより、当該装置の本体筐体に圧接する請求項９に記載の防音装置付き機器。
【発明の詳細な説明】
【０００１】
【発明の属する技術分野】
本発明は、防音装置と防音装置付き機器に関するものである。
【０００２】
【従来の技術】
画像読取装置、画像形成装置、家電製品又はその他の多くの装置は、例えば駆動モータなどの騒音発生源を有している。かかる騒音発生源の発する騒音が装置外にそのまま放出されると、該装置の周囲環境が害され、周囲の者に不快感を与えるおそれがある。そこで、従来より、装置の外部に騒音が放出することを抑制するため、各種の構成が提案され、かつ実用化されている。例えば、特開平１０−２０７１６２号公報及び特開平１１−１０９９７６号公報には、内部で発生した騒音が外部に漏れ出ることを防止すべく、外装カバーに防音機能を持たせた装置が提案されている。ところが、これらの提案にかかる構成によると、外装カバーの一部が破損するなどしてその防音機能が失われた場合には、外装カバーの他の機能が損なわれていないときも当該外装カバーの全体を交換しなければならず、コストや資源の浪費となる欠点を免れない。
【０００３】
【発明が解決しようとする課題】
本発明の目的は、上述した従来の欠点を除去した防音装置と、防音装置付き機器を提案することにある。
【０００４】
【課題を解決するための手段】
本発明は、上記目的を達成するため、騒音発生源を有する装置に圧接して配置される防音部材を具備し、該防音部材は、互いに材質の異なる複数の部分から構成されていることを特徴とする防音装置を提案する（請求項１）。
【０００５】
その際、前記防音部材の互いに材質の異なる部分が積層配置されていると有利である（請求項２）。
【０００６】
さらに、本発明は、上記目的を達成するため、騒音発生源を有する装置に圧接して配置される複数の防音部材を具備し、前記装置の異なった部位に、材質の異なった防音部材がそれぞれ接触して配置されることを特徴とする防音装置を提案する（請求項３）。
【０００７】
また、本発明は、上記目的を達成するため、騒音発生源を有する装置に圧接して配置される防音部材を具備し、該防音部材の少なくとも一部が導電性材料により構成されていることを特徴とする防音装置を提案する（請求項４）。
【０００８】
その際、前記導電性材料が、金属板と金属粉末と金属繊維のうちの少なくとも１つから構成されていると有利である（請求項５）。
【０００９】
また、本発明は、上記目的を達成するため、騒音発生源を有する装置に圧接して配置される防音部材を具備し、該防音部材は前記装置に着脱自在に取り付けられることを特徴とする防音装置を提案する（請求項６）。
【００１０】
その際、前記防音部材を、前記装置に対してスライドさせて該装置に着脱するように構成されていると有利である（請求項７）。
【００１１】
また、上記請求項６又は７に記載の防音装置において、前記防音部材が前記装置に対する所定の装着位置に取り付けられたとき、該防音部材が、位置決め手段により前記装置に位置決めされるように構成されていると有利である（請求項８）。
【００１２】
さらに、本発明は、上記目的を達成するため、請求項１乃至８のいずれかに記載の防音装置と、該防音装置が圧接する装置とを具備することを特徴とする防音装置付き機器を提案する（請求項９）。
【００１３】
その際、前記防音部材は、前記装置の本体筐体と、該装置以外の物の間に挟まれて加圧されることにより、当該装置の本体筐体に圧接するように構成されていると有利である（請求項１０）。
【００１４】
【発明の実施の形態】
以下、本発明の実施形態例を図面に従って詳細に説明する。
【００１５】
図１は、騒音発生源を有する装置の一例である画像読取装置１の外観の概略を示す斜視図であり、図２は載置台２上に画像読取装置１を載置した状態を示す側面図である。また図３は画像読取装置１の内部構造を簡略化して示す概略断面図である。
【００１６】
図３に示すように、画像読取装置１の本体筐体３の上部にはコンタクトガラス４が固定され、そのコンタクトガラス上に原稿Ｄが載置され、この原稿Ｄは、図示していない圧板によってコンタクトガラス上に固定される。図４は、この圧板と、原稿と、コンタクトガラスと、本体筐体の上部カバーを省略して示す平面図であり、図４における符号Ｘで示した部分に図３に示したコンタクトガラスが固定され、符号Ｙで示した部分に上部カバーが設けられる。
【００１７】
画像読取装置１の構成自体は従来より周知であるため、図３と図４を参照して、その構成と作用を簡単に説明する。
【００１８】
コンタクトガラス４の下方には、光源５及び第１ミラー６を含む第１走行体７と、第２及び第３ミラー８，９を含む第２走行体１０が配置されている。これらの走行体７，１０は矢印Ａ方向に作動し、このとき光源５からの光によって原稿Ｄが照明され、その反射光が第１乃至第３ミラー６，８，９にて反射し、レンズ１１を通してＣＣＤ１２に集光し、原稿画像が読み取られる。このように、画像読取装置１は原稿画像情報を読み取り、電子データ化する装置である。
【００１９】
図４に示すように、第１走行体７は本体筐体３に対して固定された一対の第１レール１３に摺動自在に支持され、第２走行体１０も、同じく本体筐体３に対して固定された一対の第２レール１４に摺動自在に支持されている。一方、駆動モータ１５の回転はタイミングベルト１６を介して駆動軸１７に伝えられ、その駆動軸１７に固定されたワイヤ駆動プーリ１８には図示していないワイヤが巻回され、そのワイヤが第１及び第２走行体７，１０に連結されている。駆動軸１７が回転することにより、第１走行体７と第２走行体１０は矢印Ａ方向に作動する。図４における符号１９は電源を示し、符号２０は操作部を示している。
【００２０】
上述のように、画像読取装置１はその駆動モータ１５の作動により、タイミングベルト１６、駆動軸１７及びワイヤ駆動プーリ１８などが作動し、第１及び第２走行体７，１０が走査移動する。このように各要素が作動するとき、騒音が発生し、これがそのまま装置の外部に漏れ出たとすると、ユーザに不快感を与えるおそれがある。
【００２１】
そこで、画像読取装置１にて発生する騒音を緩和するため、図１、図２及び図４に示すように防音部材２１を具備する防音装置２２が使用されている。図示した例では、図２に示すように本体筐体３の底壁に設けられた脚部２３が載置台２上に載置されて、本体筐体３と載置台２との間に隙間Ｇが形成されているが、この隙間Ｇに防音部材２１が配置され、該防音部材２１が画像読取装置１の本体筐体３と載置台２に挟まれて加圧されている。これにより、防音部材２１は画像読取装置１の本体筐体３に圧接する。このように、防音装置２２は、騒音発生源を有する装置（図の例では画像読取装置１）に圧接して配置される防音部材２１を有している。
【００２２】
防音部材２１は、例えば軟質な発泡体又はフェルトなどの吸音特性に優れた材料により構成されるが、弾性を有する材料により防音部材２１を構成し、図１に示すように防音部材２１がフリー状態にあるときの厚さＴを、上記隙間Ｇよりも大きく設定し、かかる防音部材２１が図２に示すように画像読取装置１の本体筐体３と載置台２との間に挟まれたとき、その防音部材２１が圧縮変形するように構成すると、防音部材２１を画像読取装置１の本体筐体３に確実に圧接させることができる。
【００２３】
防音部材２１を画像読取装置１と載置台２との間に配置する方法としては、図１に示すように、例えば両面接着テープ（図示せず）などによって載置台２上に防音部材２１を固定し、その上から画像読取装置１を載置してもよいし、防音部材２１を画像読取装置の本体筐体底壁に両面接着テープなどによって固定してもよい。或いは防音部材２１を載置台２や画像読取装置１に固定せず、その防音部材２１を単に画像読取装置１と載置台２の間に配置するだけであってもよい。
【００２４】
上述のように、防音部材２１を画像読取装置１の本体筐体３に圧接させることにより、画像読取装置１にて発生する騒音を緩和することができ、効果的な防音機能が得られる。防音部材を画像読取装置に単に接触させるだけでも、多少の防音効果が得られるが、防音部材２１を画像読取装置に圧接させることによって、防音効果を各段と高めることができるのである。防音部材を設けないと、画像読取装置１と載置台２との間の隙間Ｇにおいて反響音や共振音などが発生するが、防音部材２１を設けることにより、これらの音の発生も効果的に押え、ユーザに不快感を与えることを防止できる。また、防音部材２１の防音機能が低下しただけでは、画像読取装置の構成部材を交換する必要はなく、コストや資源の浪費の発生を阻止することができる。
【００２５】
画像読取装置１の発する騒音を最も効果的に吸収できる材料により防音部材２１を構成することが好ましいが、画像読取装置１の騒音には各種周波数の音が含まれているので、防音部材２１の全体が同一材質より成ると、或る周波数の騒音を吸収できたとしても、他の周波数の騒音を吸収し難くなる。そこで、防音装置２２の防音部材２１を、互いに材質の異なる複数の部分から構成することが好ましい。例えば、図５の（ａ）及び（ｂ）に示すように、防音部材２１の互いに材質の異なる部分２１ａ，２１ｂ，２１ｃ，２１ｄをサンドイッチ状に積層配置し、これらの部分を一体化して１つの防音部材２１を構成するのである。この構成によれば、画像読取装置１において発生する異なった周波数の騒音を、防音部材２１の各部分２１Ａ乃至２１Ｄによってそれぞれ吸収することができるので、防音効果を一層高めることができる。
【００２６】
また、防音部材２１を、画像読取装置１の本体筐体底壁の全体に亘って配置してもよいが、騒音発生源に近い部位にのみ防音部材２１を配置することもできる。図１乃至図４に示した例では、駆動モータ１５とタイミングベルト１６と駆動軸１７とワイヤ駆動プーリ１８の下方領域に防音部材２１が配置され、これによって効果的に騒音を吸収することができる。大きな騒音を発生する駆動モータ１５の下方にのみ防音装置を設けるように構成してもよい。
【００２７】
また、画像読取装置１は、多くの部品で構成され、その部品間には若干の隙間ができ、その隙間から騒音が外部に漏れ出ることがあるので、当該隙間を覆うように防音部材２１を配置することによっても防音効果を高めることができる。
【００２８】
さらに、図４に示すように、本体筐体３の底壁に本体筐体内の熱を逃がすための通気用開口２４が形成されている場合には、上述の防音部材２１とは別に、図４に鎖線で示し、かつ符号２１Ａで示した防音部材を設け、その通気用開口２４を防音部材２１Ａによって覆うこともできる。これにより、当該通気用開口２４から騒音がそのまま外部に放出されることを防止でき、防音効果を一層高めることができる。その際、この防音部材２１Ａを、図５の（ｃ）に示すように通気性のある材料により構成することにより、通気用開口２４から流出する空気が防音部材２１Ａによって遮られる不具合を阻止できる。また、各防音部材２１，２１Ａを、これらが設けられた画像読取装置の各部位から発する周波数の騒音を最も効果的に吸収できる材料によって構成することが好ましい。画像読取装置の各部位に材質の異なった防音部材２１，２１Ａを配置して、そのそれぞれの機能を効果的に発揮させるのである。
【００２９】
上述のように、騒音発生源を有する装置１に圧接して配置される複数の防音部材２１，２１Ａにより防音装置２２を構成することもでき、その際、装置１の異なった部位に、材質の異なった防音部材２１，２１Ａをそれぞれ接触して配置することにより、装置の機能を低下させることなく、効果的に防音効果を高めることができる。
【００３０】
また、載置台２が金属などの導電性材料により構成されているとき、画像読取装置１をその載置台２に電気的に接地させることにより、電磁波や静電気の蓄積などの電気的乱ノイズの発生を抑えることができる。かかる観点から、防音部材２１，２１Ａの少なくとも一部を導電性材料により構成して騒音発生源を有する装置１をアースし、当該装置を電気的に安定状態に保つように構成することが好ましい。これにより、専用のアース部材を設ける必要がなくなり、画像読取装置１の構成を簡素化でき、そのコストを低減できる。その際、防音部材の導電性材料として、例えば、金属板と、金属粉末と、金属繊維のうち少なくとも１つを用いることが好ましい。金属粉末や金属繊維を他の樹脂材料と共に発泡成形して防音部材を構成することもできる。
【００３１】
図５の（ｄ）は、防音部材２１，２１Ａが，金属繊維２５と、その上下の面に固定された金属板２６により構成された例を示す。金属繊維２５を用いることにより、高い防音効果を保つことができ、金属板２６を用いることにより、防音部材２１，２１Ａの剛性を維持することができる。金属板２６に代えて、金属を含む導電性の布又は不織布などを用いることもできる。また、防音部材２１，２１Ａに孔２７を形成し、ここに圧縮コイルばねなどから成る導体２８を配置し、その導体２８を介して画像読取装置１の本体筐体３と載置台２を導通させ、当該装置１のアース効果を高めるように構成することもできる。
【００３２】
また、防音部材２１，２１Ａが劣化したとき、これを容易に交換できるように、防音部材が、騒音発生源を有する装置１に着脱自在に取り付けられていると有利である。例えば、図６に示すように、一対のレール３０を有する枠体２９に防音部材２１Ａを嵌め込むと共に、画像読取装置１の本体筐体３の底壁に一対の相手レール３１を設け、その各相手レール３１に枠体２９の各レール３０を嵌合して、枠体２９と防音部材２１Ａを矢印Ｂ方向に押し込んでスライドさせ、その防音部材２１Ａを画像読取装置１の所定の位置に装着するように構成する。防音部材２１Ａと枠体２９を矢印Ｂと反対方向に引き出すことによって、これらを画像読取装置１から離脱させることができる。このように騒音発生源を有する装置に対して防音部材をスライドさせて該装置に着脱するように構成すると、容易にその着脱作業を行うことができる。
【００３３】
また、防音部材が騒音発生源を有する装置に対する所定の装着位置に取り付けられたとき、その防音部材が、位置決め手段により当該装置に位置決めされるように構成すると、防音部材の着脱性と、当該防音部材の位置安定性を高めることができる。例えば、図６に示すように、枠体２９に突設された突起３２と、本体筐体３の底壁に形成された穴３３より成る位置決め手段を設け、防音部材２１Ａを矢印Ｂ方向にスライドさせて、その防音部材２１Ａを本体筐体３に対する所定の位置にもたらしたとき、突起３２と穴３３が互いに係合して、防音部材２１Ａがその位置に位置決めされるように構成するのである。
【００３４】
以上説明した防音装置２２と、その防音装置が圧接する装置１は、防音装置付き機器を構成するものであるが、画像読取装置１以外の装置、例えば複写機、プリンタ又はファクシミリなどの画像形成装置と防音装置とを組み合せて防音装置付き機器を構成することもできる。
【００３５】
また、防音装置付き機器の防音部材は、騒音発生源を有する装置の本体筐体の外面と、該装置以外の物の間に挟まれて加圧されることにより、当該装置の筐体に圧接するものであるが、この物として載置台２を利用するほか、装置の近傍に位置する壁面などを利用し、その壁面と装置１の本体筐体３の外面の間に防音部材を挟み付けて、該防音部材を装置の筐体に圧接させることもできる。
【００３６】
【発明の効果】
本発明によれば、コストや資源の浪費を伴うことなく、効果的な防音効果が得られる。
【図面の簡単な説明】
【図１】画像読取装置と防音部材と載置台の斜視図である。
【図２】画像読取装置を載置台上にセットしたときの様子を示す側面図である。
【図３】画像読取装置の内部構造を簡略化して示す断面図である。
【図４】コンタクトガラスなどを外した状態での画像読取装置の平面図である。
【図５】防音部材の模式的断面図である。
【図６】防音部材をスライドさせて本体筐体に取り付けるときの様子を示す斜視図であって、本体筐体を簡略化して示した図である。
【符号の説明】
１　装置
３　本体筐体
２１　防音部材
２１Ａ　防音部材
２１ａ　部分
２１ｂ　部分
２１ｃ　部分
２１ｄ　部分
２５　金属繊維
２６　金属板
【図１】
2004012553.tif 000003
【図２】
2004012553.tif 000004
【図３】
2004012553.tif 000005
【図４】
2004012553.tif 000006
【図５】
2004012553.tif 000007
【図６】
2004012553.tif 000008